(57)【特許請求の範囲】
【請求項１】
複数のページを表す画像情報であって、各ページに少なくとも一の色の二値画像のビットマップデータを含む画像情報を取得する情報取得手段と、
前記情報取得手段で取得された画像情報が表すページ毎に、当該ページが含むビットマップデータの二値画像が複数の色の版のいずれの色の版か該画像情報を解析して特定し、版毎に画像情報の有無を示す版情報を生成する版情報生成手段と、
前記ページ毎に前記複数の色の版の二値画像のビットマップデータについて各版の色と画像形成装置のプロセスカラーとを対応させるとともに各版をまとめて前記画像形成装置に画像形成させるジョブファイルを生成するよう指示する第１生成指示、または、前記情報取得手段で取得した画像情報の版毎に、該画像情報のビットマップデータを別々に前記画像形成装置に画像形成させるジョブファイルを生成するよう指示する第２生成指示を取得する指示取得手段と、
前記指示取得手段において前記第１生成指示が取得された場合であって、前記ページ毎に前記版情報で無しとなっている版が有る場合は、当該版については空白を表すビットマップデータを生成し、該生成されたビットマップデータ及び前記版情報で有りとなっている他の版の画像情報に含まれているビットマップデータを各版の色と画像形成装置のプロセスカラーとを対応させて前記画像形成装置に画像形成させるジョブファイルを生成し、前記指示取得手段において前記第２生成指示が取得された場合、前記情報取得手段で取得した画像情報の版毎に、該画像情報のビットマップデータを前記画像形成装置に画像形成させるジョブファイルを生成するジョブファイル生成手段と、
前記ジョブファイル生成手段で生成されたジョブファイルを、前記画像形成装置へ出力する出力手段と
を有する画像処理装置。
【請求項２】
コンピュータを、
複数のページを表す画像情報であって、各ページに少なくとも一の色の二値画像のビットマップデータを含む画像情報を取得する情報取得手段と、
前記情報取得手段で取得された画像情報が表すページ毎に、当該ページが含むビットマップデータの二値画像が複数の色の版のいずれの色の版か該画像情報を解析して特定し、
版毎に画像情報の有無を示す版情報を生成する版情報生成手段と、
前記ページ毎に前記複数の色の版の二値画像のビットマップデータについて各版の色と画像形成装置のプロセスカラーとを対応させるとともに各版をまとめて前記画像形成装置に画像形成させるジョブファイルを生成するよう指示する第１生成指示、または、前記情報取得手段で取得した画像情報の版毎に、該画像情報のビットマップデータを別々に前記画像形成装置に画像形成させるジョブファイルを生成するよう指示する第２生成指示を取得する指示取得手段と、
前記指示取得手段において前記第１生成指示が取得された場合であって、前記ページ毎に前記版情報で無しとなっている版が有る場合は、当該版については空白を表すビットマップデータを生成し、該生成されたビットマップデータ及び前記版情報で有りとなっている他の版の画像情報に含まれているビットマップデータを各版の色と画像形成装置のプロセスカラーとを対応させて前記画像形成装置に画像形成させるジョブファイルを生成し、前記指示取得手段において前記第２生成指示が取得された場合、前記情報取得手段で取得した画像情報の版毎に、該画像情報のビットマップデータを前記画像形成装置に画像形成させるジョブファイルを生成するジョブファイル生成手段と、
前記ジョブファイル生成手段で生成されたジョブファイルを、前記画像形成装置へ出力する出力手段
として機能させるためのプログラム。
【発明の詳細な説明】
【技術分野】
【０００１】
本発明は、画像処理装置およびプログラムに関する。
【背景技術】
【０００２】
ページ記述言語で記述された多値画像データを、ＲＩＰ（Raster Image Processing）処理により網点成分を有する２値画像データに変換し、この２値画像データから刷版を作成することが行われている。しかしながら刷版を作成して校正を行うと、刷版に問題がある場合には作成した刷版が無駄になり、また、新たに刷版を作成するために時間がかかることとなる。このような問題を解決する技術として、例えば、特許文献１に開示されたシミュレーション装置がある。このシミュレーション装置は、網点成分を有する２値画像データを複数の版毎にＲＩＰ処理により生成し、各版の同一画素のデータを一組とした表示画像データを生成する。そして、表示画像データをカラーテーブルによってＲＧＢの輝度信号に変換し、カラーＣＲＴ（Cathode Ray Tube）に各版の網点画像を重ねて表示するため、網点やモアレを印字色で確認することができる。
【先行技術文献】
【特許文献】
【０００３】
【特許文献１】特開平１１−８８７０６号公報
【発明の概要】
【発明が解決しようとする課題】
【０００４】
本発明は、スクリーン処理がされた二値画像を表した画像ファイルから、版毎の校正刷り、または各版の二値画像を重ねた校正刷りを得られるようにすることを目的とする。
【課題を解決するための手段】
【０００５】
本発明の請求項１に係る画像処理装置は、複数のページを表す画像情報であって、各ページに少なくとも一の色の二値画像のビットマップデータを含む画像情報を取得する情報取得手段と、前記情報取得手段で取得された画像情報が表すページ毎に、当該ページが含むビットマップデータの二値画像が複数の色の版のいずれの色の版か該画像情報を解析して特定し、版毎に画像情報の有無を示す版情報を生成する版情報生成手段と、前記ページ毎に前記複数の色の版の二値画像のビットマップデータについて各版の色と画像形成装置のプロセスカラーとを対応させるとともに各版をまとめて前記画像形成装置に画像形成させるジョブファイルを生成するよう指示する第１生成指示、または、前記情報取得手段で取得した画像情報の版毎に、該画像情報のビットマップデータを別々に前記画像形成装置に画像形成させるジョブファイルを生成するよう指示する第２生成指示を取得する指示取得手段と、前記指示取得手段において前記第１生成指示が取得された場合であって、前記ページ毎に前記版情報で無しとなっている版が有る場合は、当該版については空白を表すビットマップデータを生成し、該生成されたビットマップデータ及び前記版情報で有りとなっている他の版の画像情報に含まれているビットマップデータを各版の色と画像形成装置のプロセスカラーとを対応させて前記画像形成装置に画像形成させるジョブファイルを生成し、前記指示取得手段において前記第２生成指示が取得された場合、前記情報取得手段で取得した画像情報の版毎に、該画像情報のビットマップデータを前記画像形成装置に画像形成させるジョブファイルを生成するジョブファイル生成手段と、前記ジョブファイル生成手段で生成されたジョブファイルを、前記画像形成装置へ出力する出力手段とを有する。
【０００７】
本発明の請求項２に係るプログラムは、コンピュータを、複数のページを表す画像情報であって、各ページに少なくとも一の色の二値画像のビットマップデータを含む画像情報を取得する情報取得手段と、前記情報取得手段で取得された画像情報が表すページ毎に、当該ページが含むビットマップデータの二値画像が複数の色の版のいずれの色の版か該画像情報を解析して特定し、版毎に画像情報の有無を示す版情報を生成する版情報生成手段と、前記ページ毎に前記複数の色の版の二値画像のビットマップデータについて各版の色と画像形成装置のプロセスカラーとを対応させるとともに各版をまとめて前記画像形成装置に画像形成させるジョブファイルを生成するよう指示する第１生成指示、または、前記情報取得手段で取得した画像情報の版毎に、該画像情報のビットマップデータを別々に前記画像形成装置に画像形成させるジョブファイルを生成するよう指示する第２生成指示を取得する指示取得手段と、前記指示取得手段において前記第１生成指示が取得された場合であって、前記ページ毎に前記版情報で無しとなっている版が有る場合は、当該版については空白を表すビットマップデータを生成し、該生成されたビットマップデータ及び前記版情報で有りとなっている他の版の画像情報に含まれているビットマップデータを各版の色と画像形成装置のプロセスカラーとを対応させて前記画像形成装置に画像形成させるジョブファイルを生成し、前記指示取得手段において前記第２生成指示が取得された場合、前記情報取得手段で取得した画像情報の版毎に、該画像情報のビットマップデータを前記画像形成装置に画像形成させるジョブファイルを生成するジョブファイル生成手段と、前記ジョブファイル生成手段で生成されたジョブファイルを、前記画像形成装置へ出力する出力手段として機能させる。
【発明の効果】
【０００８】
本発明の請求項１，２に記載の構成によれば、スクリーン処理がされた二値画像を表した画像ファイルから、版毎の校正刷り、または各版の二値画像を重ねた校正刷りを得られる。
【図面の簡単な説明】
【０００９】
【図１】本発明の一実施形態に係る画像処理システムの構成を示した図。
【図２】画像処理装置１０のハードウェア構成を示した図。
【図３】画像処理装置１０において実現する機能の構成を示したブロック図。
【図４】画像形成装置２０のハードウェア構成を示した図。
【図５】画像処理装置１０が行う処理の流れを示したフローチャート。
【図６】画像処理装置１０が行う処理の流れを示したフローチャート。
【図７】画像処理装置１０Ａにおいて実現する機能の構成を示したブロック図。
【図８】第２実施形態におけるフォルダの設定画面を例示した図。
【図９】第２実施形態における入力フォルダの設定画面を例示した図。
【図１０】第２実施形態で行われる処理の流れを示したフローチャート。
【図１１】第３実施形態におけるフォルダの設定画面を例示した図。
【図１２】第３実施形態における入力フォルダの設定画面を例示した図。
【図１３】第３実施形態で行われる処理の流れを示したフローチャート。
【図１４】第４実施形態におけるフォルダの設定画面を例示した図。
【図１５】第４実施形態で行われる処理の流れを示したフローチャート。
【図１６】変形例におけるフォルダの設定画面を例示した図。
【発明を実施するための形態】
【００１０】
［実施形態］
図１は、本発明に係る画像処理システムの構成を示した図である。この画像処理システムは、コンピュータにおいて作成したカラーの画像データから校正刷りを得るシステムであり、本実施形態においては、画像形成装置２０と画像処理装置１０で構成されている。
画像処理装置１０は、ページ記述言語で記述された画像情報（第１画像ファイル）またはフォーマットが１ｂｉｔＴＩＦＦ（Tagged Image File Format）の画像情報（第２画像ファイル）を通信回線またはコンピュータ読み取り可能な記録媒体から取得し、これらのファイルが表す画像のデータを画像形成装置２０へ出力する装置である。なお、本実施形態においては、第２画像ファイルが表す二値画像は、刷版の基となる画像であってスクリーン処理がされており、第２画像ファイルが表す画像の解像度は、２４００ｄｐｉとなっている。
画像形成装置２０は、画像処理装置１０から供給されるデータが表す画像を印刷する装置である。画像形成装置２０は、画像処理装置１０から供給されるデータを取得し、取得したデータが表す画像を印刷する。
【００１１】
（画像処理装置１０の構成）
図２は、画像処理装置１０のハードウェア構成を示したブロック図である。図２に示したように、各部は、バス１０１に接続されており、このバス１０１を介して各部間でデータのやり取りを行う。
【００１２】
表示部１０７は、画像を表示する表示装置として液晶ディスプレイを備えており、ＣＰＵ（Central Processing Unit）１０２の制御の下、画像処理装置１０を操作するためのメニュー画面や各種メッセージ、画像等を表示する。なお、表示装置は液晶ディスプレイに限定されるものではなく、ＣＲＴ（Cathode Ray Tube）やＥＬ（Electro Luminescence）を用いたディスプレイなど他の表示装置であってもよい。
操作部１０６は、画像処理装置１０を操作するためのキーボードやマウスを備えている。ユーザがこのキーボードやマウスを操作することにより、画像処理装置１０に対する各種指示の入力や各種設定が行われる。
ファイル取得部１０８は、通信回線を介して通信を行うインターフェースであり、他のコンピュータ装置から送られた第１画像ファイルや第２画像ファイルを取得する。ファイル取得部１０８で取得されたファイルは、例えば、ＣＰＵ１０２で処理される。
ファイル出力部１０９は、画像形成装置２０と通信を行うインターフェースであり、通信ケーブルで画像形成装置２０に接続される。ファイル出力部１０９は、第１画像ファイルをＲＩＰ処理して得たビットマップデータまたは第２画像ファイルに含まれているビットマップデータを画像形成装置２０へ出力する。
【００１３】
記憶部１０５はハードディスク装置を具備しており、画像処理装置１０にオペレーティングシステムの機能を実現させるプログラムを記憶している。また、記憶部１０５は、第１画像ファイルまたは第２画像ファイルを取得し、第１画像ファイルをＲＩＰ処理して得たビットマップデータや第２画像ファイルに含まれているビットマップデータを画像形成装置２０へ出力する機能を実現する画像処理プログラムを記憶する。また、記憶部１０５は、ファイル取得部１０８で取得した第１画像ファイルや第２画像ファイル、第１画像ファイルにＲＩＰ処理を施して得られたビットマップデータなどを記憶する。
【００１４】
ＲＯＭ（Read Only Memory）１０３は、ＩＰＬ（Initial Program Loader）を記憶しており、ＣＰＵ１０２は、ＲＯＭ１０３に記憶されているＩＰＬを読み出して実行する。ＩＰＬが実行されると、記憶部１０５からオペレーティングシステムの機能を実現させるプログラムが読み出されて実行される。オペレーティングシステムの機能を実現させるプログラムがＣＰＵ１０２により実行されると、ＣＰＵ１０２により画像処理プログラムを実行することが可能となる。ＣＰＵ１０２により画像処理プログラムが実行されると、画像処理装置１０においては、第１画像ファイルまたは第２画像ファイルを取得し、第１画像ファイルをＲＩＰ処理して得たビットマップデータや第２画像ファイルに含まれているビットマップデータを画像形成装置２０へ出力する機能が実現する。
【００１５】
図３は、画像処理プログラムを実行することにより画像処理装置１０において実現する機能の構成を示したブロック図である。なお、図３においては、画像形成装置２０において実現する機能の構成も示している。画像形成装置２０において実現する機能については後述する。
統合部１５０は、ファイル取得部１０８で取得された第２画像ファイルを取得する。本実施形態においては、第２画像ファイルは、Ｃ（Cyan）、Ｍ（Magenta）Ｙ（Yellow）Ｋ
（Key tone：本実施形態においては黒）の版毎に設けられ、各版の第２画像ファイルには、ＣＭＹＫのいずれの版であるかを示す識別情報が付加されている。
なお、統合部１５０は、４つの各版の第２画像ファイルを全て取得する構成に限定されるものではない。例えば印刷を黒の１色刷りで行う場合には、Ｋの版の第２画像ファイルのみがファイル取得部１０８に供給され、統合部１５０は、この供給されたＫの版の第２画像ファイルを取得する。また、例えば印刷をＣとＫの二色刷りで行う場合には、ＣとＫの版の第２画像ファイルのみがファイル取得部１０８に供給され、統合部１５０は、この供給されたＣとＫの版の第２画像ファイルを取得する。
統合部１５０は、第２画像ファイルを取得すると、取得した第２画像ファイルに付加されている識別情報を抽出し、どの色の版の第２画像ファイルを取得したかを示す版情報を生成する。つまり、統合部１５０は、版情報を生成する版情報生成手段の一例である。例えば、ＣとＫの版の第２画像ファイルを取得した場合、取得した第２画像ファイルに付加されている識別情報を抽出すると、Ｃの版とＫの版の第２画像ファイルを取得したことが分かる。統合部１５０は、この抽出した情報を基に、ＣとＫについては版があることを示す「１」を対応づけ、ＭとＹについては版が無いことを示す「０」を対応付けた「ＣＭＹＫ＝１００１」という版情報を生成する。なお、例えば取得した版がＫのみである場合には、版情報は「ＣＭＹＫ＝０００１」となる。統合部１５０は、版情報を生成すると、生成した版情報および取得した版の第２画像ファイルを統合して選択部１５１へ供給する。
【００１６】
選択部１５１は、統合された版情報および第２画像ファイルを取得する。また、選択部１５１は、ファイル取得部１０８で取得された第１画像ファイルを取得することも可能である。選択部１５１は、第１画像ファイルを取得した場合には、取得した第１画像ファイルを第１記憶部１５２へ供給する。また、選択部１５１は、版情報および第２画像ファイルを取得した場合、取得した版情報と第２画像ファイルを第１記憶部１５２へ供給する。
【００１７】
第１記憶部１５２は、第１画像ファイルを記憶する第１記憶領域１５２Ａを有している。また、第１記憶部１５２は、版情報および第２画像ファイルを記憶する第２記憶領域１５２Ｂを有している。第１記憶部１５２は、選択部１５１から第１画像ファイルが供給されると、供給された第１画像ファイルを第１記憶領域１５２Ａに記憶する。また、第１記憶部１５２は、選択部１５１から版情報と第２画像ファイルが供給されると、供給された版情報と第２画像ファイルを第２記憶領域１５２Ｂに記憶する。
【００１８】
ＲＩＰ部１５３は、第１記憶領域１５２Ａに記憶された第１画像ファイルにＲＩＰ処理を施すものである。ＲＩＰ部１５３は、このＲＩＰ処理によりビットマップデータをＣＭＹＫの版毎に生成し、生成したビットマップデータを第２記憶部１５５に記憶させる。なお、本実施形態においては、ＲＩＰ処理により生成 されるビットマップデータの解像度は６００ｄｐｉとなっており、一つの画素の階調を８ｂｉｔで表している。また、ＲＩＰ部１５３は、第２記憶部１５５に記憶されたビットマップデータを含むジョブファイルを生成し、生成したジョブファイルをジョブファイル出力部１５６へ供給する。なお、ＲＩＰ部１５３は、ＣＭＳ（Color Management System）の機能も備えており、画像形成装置２０に合わせてビットマップデータの階調（色味）を調整する。したがって、画像処理装置１０に入力された画像ファイルが、図３におけるＲＩＰ部１５３を通るルートで画像処理されて画像形成装置２０で出力する場合は、画像処理装置１０に入力された画像ファイルの色味の校正をすることができる。一方、画像ファイルがＲＩＰ部１５３を通るルートの場合、一つの画素の階調を多値（本実施形態では８ｂｉｔ）で表しているため、画像処理装置１０に入力された画像ファイルのモワレの有無の確認には適さない。なお、第２画像ファイルをＲＩＰ部１５３へ供給して多値のビットマップデータを生成し、ＣＭＳによる色調整を行ってもよい。
【００１９】
ジョブファイル生成部１５４は、第２記憶領域１５２Ｂに記憶された版情報と第２画像ファイルを取得し、取得した版情報と第２画像ファイルを第２記憶部１５５に記憶させる。また、ジョブファイル生成部１５４は、第２記憶部１５５に記憶された各版の第２画像ファイルのビットマップデータを、各版の色と画像形成装置２０のプロセスカラーとを対応させて画像形成装置２０でまとめて画像形成する合成モードと、第２画像ファイルのビットマップデータを画像形成装置２０で版毎に別々に画像形成する分版モードのいずれかを、入力される指示情報に応じて選択する。つまり、ジョブファイル生成部１５４は、指示情報を取得する指示取得手段の一例である。
ジョブファイル生成部１５４は、ジョブファイルを生成するジョブファイル生成手段の一例である。ジョブファイル生成部１５４は、合成モードを選択した場合には、版情報において「１」となっている版のビットマップデータを第２画像ファイルから抽出する。また、版情報において「０」となっている版がある場合には、版情報が「０」となっている版について空白を表すビットマップデータを生成する。ジョブファイル生成部１５４は、抽出したビットマップデータと生成した空白のビットマップデータとを含むジョブファイルを生成し、生成したジョブファイルをジョブファイル出力部１５６へ供給する。これによって、版情報が「０」である版が存在することにより、印刷される版の順序について、空きの版が詰められることにより、印刷される版が異なるという不具合が生じることがない。
一方、ジョブファイル生成部１５４は、分版モードを選択した場合には、第２記憶部１５５に記憶されている各版の第２画像ファイル毎にジョブファイルを生成し、生成したジョブファイルをジョブファイル出力部１５６へ供給する。例えば、ＣとＫの版の第２画像ファイルが第２記憶部１５５に記憶されている場合には、Ｃの版の第２画像ファイルを含むジョブファイルと、Ｋの版の第２画像ファイルを含むジョブファイルのみが生成される。これによって、版情報がない版が存在することによる無駄な白紙出力を出力することがない。例えば、画像形成装置２０において紙を出力する毎に課金を行うシステムの場合、白紙を出力するこ とがないので、白紙を出力して課金されることがない。
【００２０】
第２記憶部１５５は、上述したＲＩＰ処理により生成されたビットマップデータや版情報および第２画像ファイルを記憶する。
ジョブファイル出力部１５６は、ＲＩＰ部１５３から供給されるジョブファイルまたはジョブファイル生成部１５４から供給されるジョブファイルを画像形成装置２０へ出力するものである。ジョブファイル出力部１５６は、供給されたジョブファイルをファイル出力部１０９へ供給する。つまり、ジョブファイル出力部１５６は、ジョブファイルを出力する出力手段の一例である。
【００２１】
（画像形成装置２０の構成）
図４は、画像形成装置２０のハードウェア構成を示したブロック図である。図４に示したように、各部は、バス２０１に接続されており、このバス２０１を介して各部間でデータのやり取りを行う。
【００２２】
操作部２０６は、画像形成装置２０を操作するための各種キーを備えている。ユーザがこれらのキーを操作することにより、画像形成装置２０に対する各種指示の入力や画像形成装置２０の各種設定が行われる。表示部２０７は、例えば、液晶ディスプレイ等の表示装置を有しており、ＣＰＵ２０２の制御の下、画像形成装置２０を操作するためのメニュー画面や各種メッセージ等を表示する。
【００２３】
インターフェース部２１０は、画像処理装置１０と通信を行うインターフェースであり、通信ケーブルで画像処理装置１０に接続される。インターフェース部２１０は、画像処理装置１０から供給されるジョブファイルを取得する。
【００２４】
画像形成部２０８は、例えば、電子写真方式によって紙にトナー像を形成する画像形成エンジンを具備している。この画像形成エンジンは、供給されるビットマップデータに基づいてプロセスカラーであるＣＭＹＫの各色のトナー像を紙に転写し、紙に転写されたトナー像に熱と圧力を加えて定着させた後、トナー像が形成された紙を画像形成装置２０外へ排出する。なお、画像形成部はインクジェット方式等の電子写真方式以外の画像形成方式であっても構わない。画像形成部２０８は、プロセスカラーＣＭＹＫ以外の色（特色）を備えていても構わない。その場合は、画像処理装置１０に入力された画像ファイルがＣＭＹＫ以外の版が含まれていても、これに対応できることとなる。
【００２５】
記憶部２０５はハードディスク装置を具備しており、インターフェース部２１０で取得したジョブファイルを記憶する。
ＲＯＭ２０３は、ＣＰＵ２０２により実行される制御プログラムを記憶している。ＣＰＵ２０２は、ＲＯＭ２０３に記憶されている制御プログラムを読み出し、ＲＡＭ２０４を作業エリアにして制御プログラムを実行する。ＣＰＵ２０２により制御プログラムが実行されると、ＣＰＵ２０２により画像形成装置２０の各部が制御され、画像形成装置２０は、所謂プリンターとして動作する。
【００２６】
なお、図３には、画像形成装置２０において本実施形態に係る機能の構成が示されている。ジョブファイル取得部２５０は、画像処理装置１０から供給されるジョブファイルを取得するものであり、取得したジョブファイルを抽出部２５１へ供給する。
抽出部２５１は、ジョブファイル取得部２５０から供給されたジョブファイルからビットマップデータを抽出するものである。抽出部２５１は、供給されたジョブファイルに含まれているビットマップデータが６００ｄｐｉ、即ち、ＲＩＰ部１５３で生成されたビットマップデータである場合、このジョブファイルに含まれているＣＭＹＫの各版のビットマップデータを画像処理部２５２へ供給する。
また、抽出部２５１は、ジョブファイルに含まれているビットマップデータの解像度が２４００ｄｐｉ、即ち、１ｂｉｔＴＩＦＦの画像ファイル（第２画像 ファイル）のビットマップデータである場合、取得したジョブファイルに含まれているビットマップデータを画像形成部２０８へ供給する。
画像処理部２５２は、抽出部２５１から供給されるビットマップデータの画像にスクリーン処理を施し、スクリーン処理が施されたビットマップデータを画像形成部２０８へ供給する。
【００２７】
（実施形態の動作）
次に、本実施形態の動作について説明する。なお、以下の説明においては、まず、画像処理装置１０が第１画像ファイルを取得した場合の動作について説明し、次に、画像処理装置１０が第２画像ファイルを取得した場合の動作について説明する。
【００２８】
（第１画像ファイルを取得した時の動作）
図５は、画像処理装置１０が第１画像ファイルを取得した時の処理の流れを示したフローチャートである。通信回線を介して第１画像ファイルが画像処理装置１０へ送られると、送られた第１画像ファイルをファイル取得部１０８が取得する。ファイル取得部１０８で取得された第１画像ファイルは、選択部１５１へ供給された後、第１記憶領域１５２Ａに記憶される（ステップＳＡ１）。第１記憶領域１５２Ａに第１画像ファイルが記憶されると、ＲＩＰ部１５３が、第１記憶領域１５２Ａに記憶された第１画像ファイルにＲＩＰ処理や色調整の処理を施し、ＣＭＹＫの各版のビットマップデータを生成する（ステップＳＡ２）。ＲＩＰ部１５３は、生成したビットマップデータを第２記憶部１５５に記憶させ、ＣＭＹＫの各版のビットマップデータが記憶されると、各版のビットマップデータを含むジョブファイルを生成する（ステップＳＡ３）。この生成されたジョブファイルは、画像形成装置２０へ供給される（ステップＳＡ４）。具体的には、生成されたジョブファイルがジョブファイル出力部１５６へ供給され、ジョブファイル出力部１５６は、供給されたジョブファイルをファイル出力部１０９へ供給する。ファイル出力部１０９は、ジョブファイルを取得すると、取得したジョブファイルを画像形成装置２０へ供給する。
【００２９】
このジョブファイルがインターフェース部２１０で取得されると、取得されたジョブファイルがジョブファイル取得部２５０から抽出部２５１へ供給される。抽出部２５１は、供給されたジョブファイルに含まれているＣＭＹＫ各版のビットマップデータを抽出し、抽出したビットマップデータの解像度が ６００ｄｐｉ、即ち、ＲＩＰ部１５３で生成されたビットマップデータである場合、各版のビットマップデータを画像処理部２５２へ供給する。
【００３０】
画像処理部２５２は、抽出部２５１から供給された各版のビットマップデータにスクリーン処理を施し、２４００ｄｐｉのビットマップデータをＣＭＹＫの版毎に生成する。画像処理部２５２は、生成した各版のビットマップデータを画像形成部２０８へ供給する。画像形成部２０８は、供給されたビットマップデータが表す画像のトナー像を生成し、生成したトナー像が重なるように紙に転写した後、定着処理を行い、画像が形成された紙を画像形成装置２０の外へ排出する。
【００３１】
本実施形態によれば、ＣＭＹＫの各版の画像が重ねられて形成されるため、ユーザは、出力される校正刷りで色の確認を行う。
【００３２】
（第２画像ファイルを取得した時の動作）
次に、第２画像ファイルを取得した時の動作について説明する。なお、以下の説明においては、Ｃの版の第２画像ファイルと、Ｋの版の第２画像ファイルが画像処理装置１０へ送られた場合を想定して動作説明を行う。
【００３３】
図６は、画像処理装置１０が第２画像ファイルを取得した時の処理の流れを示したフローチャートである。通信回線を介してＣの版の第２画像ファイルとＫの版の第２画像ファイルが画像処理装置１０へ送られると、送られた第２画像ファイルをファイル取得部１０８が取得する。ファイル取得部１０８で取得された第２画像ファイルは、統合部１５０へ供給される。
【００３４】
統合部１５０は、第２画像ファイルを取得すると、取得した第２画像ファイルに付加されている識別情報を抽出し、どの版の第２画像ファイルを取得したかを示す版情報を生成する（ステップＳＢ１）。ここで取得した第２画像ファイルに付加されている識別情報を抽出すると、Ｃの版とＫの版の第２画像ファイルを取得したことが分かる。統合部１５０は、この抽出した情報を基に、ＣとＫについては版があることを示す「１」を対応づけ、ＭとＹについては版が無いことを示す「０」を対応付けた「ＣＭＹＫ＝１００１」という版情報を生成する。統合部１５０は、版情報を生成すると、生成した版情報および取得した版の第２画像ファイルを統合して選択部１５１へ供給する。
【００３５】
選択部１５１は、この供給された版情報および第２画像ファイルを取得すると、取得した版情報と第２画像ファイルを第１記憶部１５２へ供給する。第１記憶部１５２では、版情報および第２画像ファイルは、第２記憶領域１５２Ｂに記憶される（ステップＳＢ２）。ジョブファイル生成部１５４は、版情報と第２画像ファイルが第２記憶領域１５２Ｂに記憶されると、第２記憶領域１５２Ｂに記憶された版情報と第２画像ファイルを取得し、取得した版情報と第２画像ファイルを第２記憶部１５５に記憶させる（ステップＳＢ３）。ジョブファイル生成部１５４は、版情報と第２画像ファイルを第２記憶部１５５に記憶させると、表示部１０７を制御し、合成モードと分版モードのどちらかをユーザに選択させる選択画面を表示する（ステップＳＢ４）。
【００３６】
この表示に応じてユーザが操作部１０６を操作し、合成モードが選択されると、合成モードを指示する指示情報がジョブファイル生成部１５４に供給される。ジョブファイル生成部１５４は、合成モードを指示する指示情報が供給されると（ステップＳＢ５でＹＥＳ）、ＣＭＹＫの各版のビットマップデータを含むジョブファイルを生成する（ステップＳＢ６）。具体的には、ジョブファイル生成部１５４は、版情報において「１」となっているＣの版とＫの版のビットマップデータを第２画像ファイルから抽出する。また、版情報において「０」となっているＭの版とＹの版については、空白を表すビットマップデータを生成する。ジョブファイル生成部１５４は、抽出したビットマップデータと生成した空白のビットマップデータとを含むジョブファイルを生成し（ステップＳＢ６）、生成したジョブファイルをジョブファイル出力部１５６へ供給する。ジョブファイル出力部１５６は、供給されたジョブファイルをファイル出力部１０９へ供給する。ファイル出力部１０９は、ジョブファイルを取得すると、取得したジョブファイルを画像形成装置２０へ供給する（ステップＳＢ８）。
【００３７】
このジョブファイルがインターフェース部２１０で取得されると、取得されたジョブファイルがジョブファイル取得部２５０へ供給され、抽出部２５１へ供給される。抽出部２５１は、供給されたジョブファイルに含まれているＣＭＹＫ各版のビットマップデータを抽出し、抽出したビットマップデータを画像形成部２０８へ供給する。画像形成部２０８は、供給されたビットマップデータが表す画像のトナー像を生成し、生成した各色のトナー像が紙に重なるように転写した後に定着処理を行い、画像が形成された紙を画像形成装置２０の外へ排出する。ここでジョブファイルには、Ｃの版とＫの版のビットマップデータが含まれており、Ｍの版とＹの版は空白のビットマップデータであるため、Ｃの版のトナー像とＫの版のトナー像が紙に転写されて定着され、画像が形成された紙が画像形成装置２０の外へ排出される。
取得したＣの版のビットマップデータとＫの版のビットマップデータしかジョブファイルに含めない場合、ＣＭＹＫの四つの版と比較して版の数が足りないため、含められたビットマップデータを他の色で画像形成してしまう虞があるが、本実施形態においては、４つの版の分のビットマップデータが含められるため、このような問題が発生することがない。
【００３８】
一方、ユーザが分版モードを選択した場合、分版モードを指示する指示情報がジョブファイル生成部１５４に供給される。ジョブファイル生成部１５４は、分版モードを指示する指示情報が供給されると（ステップＳＢ５でＮＯ）、Ｃの版の第２画像ファイルを含むジョブファイルと、Ｋの版の第２画像ファイルを含むジョブファイルを生成し（ステップＳＢ７）、生成した各ジョブファイルをジョブファイル出力部１５６へ供給する。ジョブファイル出力部１５６は、供給されたジョブファイルをファイル出力部１０９へ供給する。ファイル出力部１０９は、ジョブファイルを取得すると、取得したジョブファイルを画像形成装置２０へ供給する（ステップＳＢ８）。
【００３９】
このジョブファイルがインターフェース部２１０で取得されると、取得されたジョブファイルがジョブファイル取得部２５０へ供給され、抽出部２５１へ供給される。抽出部２５１は、Ｃの版の第２画像ファイルを含むジョブファイルから第２画像ファイルに含まれているビットマップデータを抽出し、抽出したビットマップデータを画像形成部２０８へ供給する。また、抽出部２５１は、Ｋの版の第２画像ファイルを含むジョブファイルから第２画像ファイルに含まれているビットマップデータを抽出し、抽出したビットマップデータを画像形成部２０８へ供給する。画像形成部２０８は、供給されたビットマップデータが表す画像のトナー像を黒のトナーで生成し、生成した各版のトナー像を別々の紙に転写した後に定着処理を行い、画像が形成された紙を画像形成装置２０の外へ排出する。
ここで画像形成装置２０においては、Ｃの版の第２画像ファイルを含むジョブファイルと、Ｋの版の第２画像ファイルが供給され、Ｍの版の第２画像ファイルを含むジョブファイルと、Ｙの版の第２画像ファイルを含むジョブファイルは供給されていないため、Ｃの版の白黒の画像が形成された紙と、Ｋの版の白黒の画 像が形成された紙が画像形成装置２０の外へ排出される。
【００４０】
このように、画像処理装置１０が第２画像ファイルを取得した場合、画像形成装置２０においては、第２画像ファイルに含まれているビットマップデータ（刷版の画像を表すデータ）を用いて画像が紙に形成されるため、刷版を用いて印刷するときのスクリーンが再現される。なお、合成モードの場合、画像処理装置１０で取得しなかった版については、空白のビットマップデータが生成されるため、画像形成装置２０においては、Ｃの版はＣｙａｎのトナーで画像が形成され、Ｋの版は黒のトナーで画像が形成され、他の色のトナーで画像が形成されることがない。そして、画像形成装置２０においては、各版の画像を重ねた画像が形成されて出力されるので、ユーザは、刷版を用いて印刷するときのモアレを確認する。
一方、分版モードの場合、各版の白黒の画像が版毎に形成されるため、カラーの画像では視認しづらいモアレをユーザは検査する。また、分版モードの場合、画像処理装置１０で取得しなかった版については、この版の第２画像ファイルが画像形成装置２０へ出力されないため、この版の画像が紙に形成されることがない。
【００４１】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００４２】
上述した実施形態においては、ＣＭＹＫの４つの版の画像ファイルに対する例を挙げたが、ＣＭＹＫに加えて特色など５つ以上の版からなる画像ファイルに適用できるようにしてもよい。
【００４３】
上述した実施形態においては、第１記憶領域１５２Ａに記憶されてＲＩＰ部１５３で処理される画像情報は、ページ記述言語で記述された画像情報に限定されるものではない。例えば、階調を多値で表したＴＩＦＦの画像情報、階調を多値で表したビットマップデータを有する画像情報などをＲＩＰ部１５３で処理し、多値のビットマップデータを生成するようにしてもよい。
【００４４】
上述した実施形態においては、識別情報により第２画像ファイルがいずれの版のファイルであるか判断しているが、この判断を、第２画像ファイルのファイル名で行うようにしてもよい。例えば、ファイル名の末尾において、Ｃの版には「Ｃ」、Ｍの版には、「Ｍ」、Ｙの版には「Ｙ」、Ｋの版には「Ｋ」付し、この末尾あるいは先頭のアルファベットによりどの版であるか判断し、版情報を生成するようにしてもよい。
【００４５】
上述した実施形態においては、画像処理プログラムを実行すると、第１画像ファイルを取得してＲＩＰ処理を行い、ＲＩＰ処理で得られたビットマップデータを画像形成装置２０へ供給する機能が実現するが、画像処理プログラムを実行した場合、この機能が実現しないようにしてもよい。
【００４６】
上述した実施形態においては、紙の両面への印刷指示や画像形成装置２０における色補正の指示など、画像形成装置２０に行わせる処理に関する指示をジョブファイルに含めるようにしてもよい。
【００４７】
上述した実施形態においては、第２画像ファイルを含むジョブファイルが画像形成装置２０へ供給された場合、画像形成装置２０は、感光体に静電潜像を形成する際の光の強度を調整することにより、紙に形成されるトナー像の濃度を調整してもよい。
【００４８】
上述した実施形態においては、画像処理装置１０は、ＣＭＹＫの全ての版の第２画像ファイルを取得した場合、版情報を生成せずに取得したファイルを統合して第２記憶領域１５２Ｂに記憶するようにしてもよい。また、この構成の場合、ジョブファイル生成部１５４は、第２記憶領域１５２Ｂに記憶された第２画像ファイルについてビットマップデータとヘッダーとを分離し、ビットマップデータに圧縮処理を施して第２記憶部１５５に記憶させてもよい。なお、この構成においては、合成モードが選択された場合、圧縮して記憶されたビットマップデータが伸張されてヘッダーが付加された後でジョブファイルに含められる。一方、分版モードが選択された場合には、圧縮して記憶されたビットマップデータを伸張してヘッダーを付加した第２画像ファイルを生成し、生成した第２画像ファイルを含むジョブファイルが生成される。
【００４９】
上述した画像処理プログラムは、磁気記録媒体（磁気テープ、磁気ディスク（ＨＤＤ（Hard Disk Drive）、ＦＤ（Flexible Disk））など）、光記録媒体（光ディスク（ＣＤ（Compact Disc）、ＤＶＤ（Digital Versatile Disk））など）、光磁気記録媒体、半導体メモリなどのコンピュータ読取り可能な記録媒体に記憶した状態で提供し、画像処理装置１０にインストールしてもよい。また、通信回線を介してダウンロードしてインストールしてもよい。
【００５０】
上述した実施形態においては、上述した記録媒体や半導体メモリにアクセス可能なインターフェースを画像処理装置１０に設け、記録媒体や半導体メモリから第１画像ファイルや第２画像ファイルを取得してもよい。
【００５１】
[第２実施形態]
例えば、複数のページを印刷する場合、ページ毎に一のページを構成する版の第２画像ファイルが画像処理装置１０へ送られる。ここで、例えばあるページについてはＣＭＹの版がなくＫの版のみであり、あるページについてはＣＭＹＫの全ての版が揃っている場合がある。以下、このような場合に対応した本実施形態の構成について説明する。
【００５２】
本実施形態に係る画像処理装置１０Ａは、ハードウェア構成は上述した実施形態で説明した画像処理装置１０と同じである。本実施形態においては、画像処理装置１０Ａにおいて実現する機能が上述の実施形態と異なる。このため、ハードウェアの構成については説明を省略し、以下、実現する機能の相違点について説明する。
【００５３】
図７は、本実施形態に係る画像処理装置１０Ａにおいて実現する機能の構成を示したブロック図である。この図に示したように画像処理装置１０Ａは、ホットフォルダ部１４０と統合部１５０Ａを備えている。
ホットフォルダ部１４０は、入力フォルダ部１４１と出力フォルダ部１４２を備えている。入力フォルダ部１４１は、ファイル取得部１０８が取得した第２画像ファイルが入力されて記憶されるブロックである。入力フォルダ部１４１には、第２画像ファイルを記憶する記憶領域であるフォルダを複数設けることが可能となっている。
統合部１５０Ａは、入力フォルダ部１４１に記憶された第２画像ファイルを取得する。統合部１５０Ａは、入力フォルダ部１４１から第２画像ファイルを取得すると、上述の統合部１５０と同様に版情報を生成し、取得した第２画像ファイルと、生成した版情報とを統合して出力フォルダ部１４２に記憶させる。
出力フォルダ部１４２は、統合部１５０Ａから出力された第２画像ファイルと版情報を記憶するブロックである。出力フォルダ部１４２においては、第２画像ファイルと版情報を記憶する記憶領域であるフォルダを複数設けることが可能となっている。出力フォルダ部１４２に記憶された第２画像ファイルと版情報は選択部１５１へ供給される。
【００５４】
なお、統合部１５０Ａは、入力フォルダ部１４１に記憶された第２画像ファイルを取得し、第２画像情報と版情報を出力フォルダ部１４２に記憶させるが、統合部１５０Ａが入力フォルダ部１４１においてファイルを取得するフォルダと、統合部１５０Ａが出力フォルダ部１４２において第２画像ファイルと版情報を記憶させるフォルダとを設定することが可能となっている。この設定は、ユーザが操作部１０６を操作することにより行われる。
【００５５】
図８は、統合部１５０Ａが第２画像ファイルを取得するフォルダと、統合部１５０Ａが第２画像ファイルと版情報を記憶させるフォルダとを設定する設定画面の一例を示した図である。この設定画面の「入力フォルダ」のフィールドには、入力フォルダ部１４１に設けられたフォルダのフォルダ名が表示され、「出力フォルダ」のフィールドには、出力フォルダ部１４２に設けられたフォルダのフォルダ名が表示される。また、「フォルダセット名」のフィールドには、同じ行に表示されている入力フォルダのフォルダ名と出力フォルダのフォルダ名との組を表すフォルダセット名が表示される。なお、各フォルダ名とフォルダセット名は、ユーザが操作部１０６を操作することにより設定される。
また、「使用」のフィールドには、ＧＵＩ（Graphical User Interface）の一例であるチェックボックスＣＢ１が設けられている。統合部１５０Ａは、このチェックボックスにチェックマークが表示されている行に表示されている入力フォルダから第２画像ファイルを取得し、第２画像ファイルと版情報を、同じ行に表示されている出力フォルダに記憶させる。
【００５６】
なお、入力フォルダ部１４１には第２画像ファイルが記憶されるが、本実施形態においては、統合部１５０Ａが入力フォルダ部１４１から一ページ分の第２画像ファイルを取得する際に、どのような規則で一ページ分の第２画像ファイルを取得するか設定することが可能となっている。
【００５７】
具体的には、図８に表示されているフォルダセットのうち、一のフォルダセットを選択し、図８の「変更」のボタンをクリックする操作が行われると、選択したフォルダセットの入力フォルダについての設定を行うための図９の画面が表示される。
【００５８】
図９に示したＧＵＩのチェックボックスは、一ページ分の第２画像ファイルを取得する時に、どの版を取得するのか規定するためのＧＵＩである。例えば、一のページが「Ｋｅｙ  ｔｏｎｅ」の一色だけで構成されている場合には、ユーザは、「Ｋｅｙ  ｔｏｎｅ」という文字列の右にあるチェックボックスのみをチェックし、他の色についてはチェックしない。また、一ページがＣＭＹＫの４色で構成されている場合には、ユーザは、「Ｃｙａｎ」という文字列の右にあるチェックボックス、「Ｍａｇｅｎｔａ」という文字列の右にあるチェックボックス、「Ｙｅｌｌｏｗ」という文字列の右にあるチェックボックス、及び「Ｋｅｙ  ｔｏｎｅ」という文字列の右にあるチェックボックスをチェックする。
【００５９】
また、図９において、ＧＵＩのラジオボタンＲＢ１，ＲＢ２は、チェックボックスで規定された版の第２画像ファイルを入力フォルダ部１４１から取得する際に、第２画像ファイルのファイル名の先頭にある文字で版を判定して取得するか、ファイル名の末尾（本実施形態においては拡張子の前）にある文字列で版を判定して取得するか設定するものである。
統合部１５０Ａは、ラジオボタンＲＢ１が選択されている場合には、第２画像ファイルがどの版のものであるのかをファイル名の先頭で判定する。例えば、ラジオボタンＲＢ１が選択され、入力フォルダ部１４１に記憶されている第２画像ファイルのファイル名の先頭が「Ｃ」という文字列の場合、統合部１５０Ａは、この第２画像ファイルはＣｙａｎの版であると判定する。また、第２画像ファイルのファイル名の先頭が「Ｍ」という文字列の場合にはＭａｇｅｎｔａの版、第２画像ファイルのファイル名の先頭が「Ｙ」という文字列の場合にはＹｅｌｌｏｗの版、第２画像ファイルのファイル名の先頭が「Ｋ」という文字列の場合には黒の版であると判定する。
【００６０】
一方、統合部１５０Ａは、ラジオボタンＲＢ２が選択されている場合には、第２画像ファイルがどの版のものであるのかをファイル名の末尾で判定する。具体的には、統合部１５０Ａは、ラジオボタンＲＢ２が選択されている場合、テキストボックスＴＢ１〜ＴＢ４に入力されている文字列に基づいて、第２画像ファイルがどの版のものであるのか判定する。例えば、Ｃｙａｎの版についてテキストボックスＴＢ１に「＿Ｃ」という文字列が入力された場合、「Test_01_C.tif」というように、ファイル名の拡張子の前の文字が「＿Ｃ」となっている第２画像ファイルをＣｙａｎの版のものと判定する。
【００６１】
統合部１５０Ａは、チェックボックスにチェックがされている版で一ページが構成されていると判断し、入力フォルダ部１４１から第２画像ファイルを取得する。なお、第２画像ファイルがどのページの第２画像ファイルであるかは、ファイル名に含まれている数字により判定される。例えば、第２画像ファイルが一ページ目のものである場合、第２画像ファイルのファイル名は「Test_01_C.tif」というようにページ番号を表す「０１」という文字列を含む。
【００６２】
図８に戻り、チェック間隔の項目は、統合部１５０Ａが入力フォルダ部１４１に記憶されている第２画像ファイルを確認する時間間隔を設定するものである。例えば、ユーザが操作部１０６を用いて、この欄に「３０」を入力すると、統合部１５０Ａは、入力フォルダ部１４１に第２画像ファイルが記憶されている場合、３０秒が経過するたびに図１０に示した処理を行い、入力フォルダ部１４１に記憶されている第２画像ファイルを確認する。
【００６３】
また、図８のタイムアウトの項目は、一つのページについて、このページに含まれる全ての版の第２画像ファイルが揃うまでの待ち時間を設定するものである。例えば、図９の画面でＣＭＹＫについてチェックボックスがチェックされている場合、Ｋの版の第２画像ファイルを取得した後、同じページのＣＭＹの版の第２画像ファイルが取得できない場合、Ｋの版を取得してから、タイムアウトの項目で設定されている時間が経過すると、統合部１５０Ａは、同じページで揃わなかった版の第２画像ファイルの取得を中止する。
【００６４】
次に、第２実施形態の動作について説明する。なお、以下の動作説明においては、図８に示したように入力フォルダが「inputfolder1」、出力フォルダが「outputfolder1」であるフォルダセット「Hot1」が設定され、このフォルダセットの「inputfolder1」について、図９に示した設定がなされた場合を想定して動作の説明を行う。また、以下の動作説明においては、画像処理装置１０に供給される第２画像ファイルは、一ページ目についてはＣＭＹＫの４版で構成され、二ページ目についてはＫの版のみで構成されている場合を例に動作の説明を行う。
【００６５】
例えば、ファイル取得部１０８で、一ページ目のＣＭＹＫの各版について、ファイル名が「Test_01_C.tif」、「Test_01_M.tif」、「Test_01_Y.tif」、「Test_01_K.tif」という第２画像ファイルが取得されると、これらの第２画像ファイルは、入力フォルダ部１４１の「inputfolder1」に記憶される。統合部１５０Ａは、「inputfolder1」にファイルが記憶されると、図９の設定に従って、一のページで版が全て揃っているか確認する（図１０：ステップＳＣ１）。ここでは、ＣＭＹＫ全ての版の第２画像ファイルが「inputfolder1」に記憶されているため（ステップＳＣ１でＹＥＳ）、統合部１５０Ａは、ファイル名の末尾（拡張子の前）の文字列が「＿Ｃ」でありページ番号として「０１」をファイル名に含む第２画像ファイル「Test_01_C.tif」を一ページ目のＣの版の第２画像ファイルとして取得する。また、他の版についても、「Test_01_M.tif」を一ページ目のＭの版、「Test_01_Y.tif」を一ページ目のＹの版、「Test_01_K.tif」を一ページ目のＫの版として取得する（ステップＳＣ２）。
【００６６】
統合部１５０Ａは、ＣＭＹＫの４つの版の第２画像画像ファイルを取得すると、第１実施形態の統合部１５０と同様に版情報を生成し（ステップＳＣ３）、生成した版情報および取得した版の第２画像ファイルを統合して出力フォルダ部１４２の「outputfolder1」へ記憶させる（ステップＳＣ４）。「outputfolder1」に記憶された第２画像ファイルと版情報は選択部１５１へ供給され、第１実施形態と同様に第２記憶領域１５２Ｂに記憶される。なお、第２画像ファイルと版情報が第２記憶領域１５２Ｂに記憶された後の動作は、第１実施形態と同じであるため省略する。
【００６７】
次に２ページ目についてＫの版だけで構成されていると、ファイル名が「Test_02_K.tif」の第２画像ファイルだけが「inputfolder1」に記憶される。統合部１５０Ａは、「Test_02_K.tif」が記憶されると、第２ページの他の版の第２画像ファイルが「inputfolder1」に記憶されるのを待つ（ステップＳＣ１でＮＯ、ステップＳＣ５でＮＯ、ステップＳＣ７でＮＯ）。しかし、２ページ目はＫの版のみであるため、次にファイル取得部１０８が取得して「inputfolder1」に記憶される第２画像ファイルは、３ページ目に係る第２画像ファイルである、「Test_03_C.tif」、「Test_03_M.tif」、「Test_03_Y.tif」、「Test_03_K.tif」というファイルである。
【００６８】
統合部１５０Ａは、２ページ目について４つの版の第２画像ファイルが揃わない状態で次のページの第２画像ファイルが「inputfolder1」に記憶されると（ステップＳＣ５でＹＥＳ）、２ページ目は、「inputfolder1」に記憶された版だけで構成されていると判定する。この場合、Ｋの版の第２画像ファイルだけが「inputfolder1」に記憶されたので統合部１５０Ａは、２ページ目はＫの版だけで構成されていると判定し、ファイル名が「Test_02_K.tif」である第２画像ファイルを取得する（ステップＳＣ６）。
【００６９】
統合部１５０は、ファイル名が「Test_02_K.tif」である第２画像ファイルを取得すると、取得した第２画像ファイルに付加されている識別情報を抽出する。これにより、Ｋの版の第２画像ファイルを取得したことが分かる。統合部１５０Ａは、この抽出した情報を基に、Ｋについては版があることを示す「１」を対応づけ、Ｃ，Ｍ及びＹについては版が無いことを示す「０」を対応付けた「ＣＭＹＫ＝０００１」という版情報を生成する（ステップＳＣ３）。統合部１５０Ａは、版情報を生成すると、生成した版情報および取得した版の第２画像ファイルを統合して「outputfolder1」へ記憶させる（ステップＳＣ４）。
「outputfolder1」に記憶された第２画像ファイルと版情報は選択部１５１へ供給され、第１実施形態と同様に第２記憶領域１５２Ｂに記憶される。なお、第２画像ファイルと版情報が第２記憶領域１５２Ｂに記憶された後の動作は、第１実施形態と同じであるため省略する。
【００７０】
なお、第２画像ファイルが「inputfolder1」に記憶されているものの、次のページの第２画像ファイルが「inputfolder1」に記憶されていない状態でタイムアウトすると（ステップＳＣ７でＹＥＳ）、統合部１５０Ａは、処理の流れをステップＳＣ６へ移す。
【００７１】
このように本実施形態においては、ページ毎にページを構成する版の数が異なっていても、ページ毎にそのページを構成する版の第２画像ファイルと版情報とが統合されて選択部１５１へ供給される。
【００７２】
[第３実施形態]
次に、本発明の第３実施形態について説明する。本実施形態に係る画像処理装置１０Ａは、ハードウェア構成と、画像処理装置１０Ａにおいて実現する機能は上述した第２実施形態と同じであるため、ハードウェアの構成と、実現する機能ブロックについては説明を省略し、以下、第２実施形態との相違点について説明する。
【００７３】
本実施形態においては、一つの入力フォルダについて、一ページ分の第２画像ファイルを取得する時の規則を複数設定可能となっている。図１１は、本実施形態に係る設定画面の一例である。図１１に示したように、同じ入力フォルダと出力フォルダの組を複数作成可能となっている。
図１２（ａ）は、図１１の１行目の「inputfolder1」についての設定画面を示した図である。この設定においては、一のページをＣＭＹＫの４つの版とし、ファイル名の末尾で版を判定する設定となっている。また、図１２（ｂ）は、図１１の２行目の「inputfolder1」についての設定画面を示した図である。この設定においては、一のページがＫだけの版とし、ファイル名の末尾で版を判定する設定となっている。なお、この例においては、統合部１５０Ａは、ファイル名の末尾が「＿Ｇ」であるファイルをＫの版の第２画像ファイルと判定する。
【００７４】
また、本実施形態においては、チェック間隔の時間が経過する毎に図１３に示した処理が行われる。以下、図１３を用いて本実施形態の動作を説明する。なお、以下の動作説明においては、図１１に示したように、入力フォルダが「inputfolder1」、出力フォルダが「outputfolder1」であるフォルダセット「Hot1」が２つ作成され、図１２に示したように、フォルダセット毎に一ページ分の第２画像ファイルを取得するときの規則が異なる場合を例に動作の説明を行う。また、以下の動作説明においては、一ページ目についてはＣＭＹＫの４版で構成され、二ページ目についてはＫの版のみで構成されている場合を例に動作の説明を行う。
【００７５】
例えば、ファイル取得部１０８で、一ページ目のＣＭＹＫの各版について、ファイル名が「Test_01_C.tif」、「Test_01_M.tif」、「Test_01_Y.tif」、「Test_01_K.tif」という第２画像ファイルが取得されると、これらの第２画像ファイルは、入力フォルダ部１４１の「inputfolder1」に記憶される。
【００７６】
統合部１５０Ａは、チェック間隔の時間が経過すると、一ページ分の第２画像ファイルを取得する時の規則として、まず、図１１の１行目の入力フォルダについて設定された規則を選択し（即ち、図１２（ａ）で設定された規則）（ステップＳＤ１）、選択した規則に対応した版が揃っているか判断する（ステップＳＤ２）。ここで、「inputfolder1」には一ページ目の４つの版の第２画像ファイルが記憶されているため（ステップＳＤ２でＹＥＳ）、ファイル名の末尾の文字列が「＿Ｃ」でありページ番号として「０１」をファイル名に含む第２画像ファイル「Test_01_C.tif」を一ページ目のＣの版の第２画像ファイルとして取得する。また、他の版についても、「Test_01_M.tif」を一ページ目のＭの版、「Test_01_Y.tif」を一ページ目のＹの版、「Test_01_K.tif」を一ページ目のＫの版として取得する（ステップＳＤ３）。
【００７７】
統合部１５０Ａは、ＣＭＹＫの４つの版の第２画像画像ファイルを取得すると、第２実施形態と同様に版情報を生成し（ステップＳＤ４）、生成した版情報および取得した版の第２画像ファイルを統合して出力フォルダ部１４２の「outputfolder1」へ記憶させる（ステップＳＤ５）。なお、第２画像ファイルと版情報が「outputfolder1」へ記憶された後の動作は、第２実施形態と同じであるため省略する。
【００７８】
次に二ページ目については、ファイル名が「Test_02_G.tif」の第２画像ファイルだけが「inputfolder1」に記憶される。まず統合部１５０Ａは、図１１の１行目の入力フォルダについて設定された規則を選択し（即ち、図１２（ａ）で設定された規則）（ステップＳＤ１）、選択した規則に対応した版が揃っているか判断する（ステップＳＤ２）。しかし、二ページ目については末尾に図１２（ａ）で設定した文字を有する第２画像ファイルがないため、ここで統合部１５０Ａは二ページ目についてＣＭＹＫの版の第２画像ファイルを取得することができない。
【００７９】
統合部１５０Ａは、図１１の１行目の入力フォルダについて設定された規則で第２画像ファイルを取得できない場合（ステップＳＤ２でＮＯ）、「inputfolder1」について設定されている全ての規則を選択したか判断する（ステップＳＤ６）。全ての規則を選択した場合（ステップＳＡ６でＹＥＳ）、図１３の処理を終了する。なお、タイムアウトした場合には、ページ番号の最も小さい第２画像ファイルを消去する。
ここでは、図１１の次の行（ここでは２行目）の入力フォルダに対して設定された規則をまだ選択していないため（ステップＳＤ６でＮＯ）、次の規則（図１１の次の行（ここでは２行目）の入力フォルダに対して設定された規則）を選択し（ステップＳＤ７）、処理の流れをステップＳＤ２へ戻す。
統合部１５０Ａは、選択した規則に対応した版が揃っているか判断する（ステップＳＤ２）。ここで選択した規則は、一のページがＫだけの版と、ファイル名の末尾が「＿Ｇ」の第２画像ファイルを取得するものとなっている。ここで、「inputfolder1」にはファイル名の末尾が「＿Ｇ」であり、二ページ目であることを表す「０２」という文字列をファイル名に含む第２画像ファイルが記憶されているため（ステップＳＤ２でＹＥＳ）、統合部１５０Ａは、ファイル名が「Test_02_G.tif」の第２画像ファイルを取得する（ステップＳＤ３）。
【００８０】
統合部１５０は、ファイル名が「Test_02_G.tif」である第２画像ファイルを取得すると、取得した第２画像ファイルに付加されている識別情報を抽出する。これにより、Ｋの版の第２画像ファイルを取得したことが分かる。統合部１５０Ａは、この抽出した情報を基に、Ｋについては版があることを示す「１」を対応づけ、Ｃ，Ｍ及びＹについては版が無いことを示す「０」を対応付けた「ＣＭＹＫ＝０００１」という版情報を生成する（ステップＳＤ４）。統合部１５０Ａは、版情報を生成すると、生成した版情報および取得した版の第２画像ファイルを統合して「outputfolder1」へ記憶させる（ステップＳＤ５）。なお、第２画像ファイルと版情報が「outputfolder1」へ記憶された後の動作は、第２実施形態と同じであるため省略する。
【００８１】
このように本実施形態においても、ページ毎に版が異なっていても、ページ毎にそのページを構成する版の第２画像ファイルと版情報とが統合されて選択部１５１へ供給される。
【００８２】
[第４実施形態]
次に、本発明の第４実施形態について説明する。本実施形態に係る画像処理装置１０Ａは、ハードウェア構成と、画像処理装置１０Ａにおいて実現する機能は上述した第２実施形態と同じであるため、ハードウェアの構成と、実現する機能ブロックについては説明を省略し、以下、第２実施形態との相違点について説明する。
【００８３】
図１４は、統合部１５０Ａが第２画像ファイルを取得するフォルダと、統合部１５０Ａが第２画像ファイルと版情報を記憶させるフォルダとを設定する設定画面の一例を示した図である。図１４に示したように本実施形態においては、共通設定の欄に「タイムアウト時の動作」という項目が設けられている点が第２実施形態や第３実施形態と異なる。
【００８４】
本実施形態において統合部１５０Ａは、「タイムアウト時間」の項目で設定されている秒数が経過しても一のページに含まれる全ての版の第２画像ファイルが揃わなかった場合、「タイムアウト時の動作」の項目において、「そろっている版で出力」という文字列の左にあるラジオボタンが選択されていると、一のページについて全ての版が揃っていなくとも、タイムアウト時にそろっている版の第２画像ファイルを取得して版情報を生成し、出力フォルダ部１４２へ記憶させる。
【００８５】
一方、統合部１５０Ａは、タイムアウト時の動作の項目において、「版がそろっていないページを破棄」という文字列の左にあるラジオボタンが選択されていると、一のページについて全ての版が揃っていない場合、全ての版が揃わなかったページに係る第２画像ファイルを入力フォルダ部１４１から消去する。
【００８６】
また、本実施形態においては、チェック間隔の時間が経過する毎に図１５に示した処理が行われる。以下、図１５を用いて本実施形態の動作を説明する。なお、以下の動作説明においては、図１４に示したように入力フォルダが「inputfolder1」、出力フォルダが「outputfolder1」であるフォルダセット「Hot1」が設定され、このフォルダセットの「inputfolder1」について、図９に示した設定がなされた場合を想定して動作の説明を行う。また、以下の動作説明においては、画像処理装置１０に供給される第２画像ファイルは、１ページ目についてはＣＭＹＫの４版で構成され、２ページ目についてはＫの版のみで構成されている場合を例に動作の説明を行う。
【００８７】
まず、ファイル取得部１０８で１ページ目のＣＭＹＫの各版について、ファイル名が「Test_01_C.tif」、「Test_01_M.tif」、「Test_01_Y.tif」、「Test_01_K.tif」という第２画像ファイルが取得されると、これらの第２画像ファイルは、入力フォルダ部１４１の「inputfolder1」に記憶される。統合部１５０Ａは、「inputfolder1」にファイルが記憶されると、図９の設定に従って、一のページで版が全て揃っているか確認する（ステップＳＥ１）。ここでは、ＣＭＹＫ全ての版の第２画像ファイルが「inputfolder1」に記憶されているため、統合部１５０Ａは、ファイル名の末尾の文字列が「＿Ｃ」でありページ番号として「０１」をファイル名に含む第２画像ファイル「Test_01_C.tif」を１ページ目のＣの版の第２画像ファイルとして取得する。また、他の版についても、「Test_01_M.tif」を１ページ目のＭの版、「Test_01_Y.tif」を１ページ目のＹの版、「Test_01_K.tif」を１ページ目のＫの版として取得する（ステップＳＥ２）。
【００８８】
統合部１５０Ａは、ＣＭＹＫの４つの版の第２画像画像ファイルを取得すると、第２実施形態の統合部１５０Ａと同様に版情報を生成し（ステップＳＥ３）、生成した版情報および取得した版の第２画像ファイルを統合して出力フォルダ部１４２の「outputfolder1」へ記憶させる（ステップＳＥ４）。この後の動作は第２実施形態と同じであるため説明を省略する。
【００８９】
次に２ページ目についてはＫの版だけで構成されているため、ファイル名が「Test_02_K.tif」の第２画像ファイルだけが「inputfolder1」に記憶される。統合部１５０Ａは、「Test_02_K.tif」が記憶されると、第２ページの他の版の第２画像ファイルが「inputfolder1」に記憶されるのを待つ。しかし、２ページ目はＫの版のみであるため、ファイル名に「０２」を含む第２画像ファイルは「inputfolder1」に記憶されない。統合部１５０Ａは、「Test_02_K.tif」が「inputfolder1」に記憶されてから図１４の画面で設定されたタイムアウト時間が経過すると（ステップＳＥ５でＹＥＳ）、同じ図１４の画面で設定されたタイムアウト時の動作に設定に従って動作する。
なお、タイムアウト時間が経過していない場合（ステップＳＥ５でＮＯ）、図１５の処理を終了する。
【００９０】
ここで、タイムアウト時の動作が「そろっている版で出力」に設定されている場合（ステップＳＥ６でＹＥＳ）、統合部１５０Ａは、ファイル名が「Test_02_K.tif」である第２画像ファイルを取得する（ステップＳＥ７）。統合部１５０は、ファイル名が「Test_02_K.tif」である第２画像ファイルを取得すると、取得した第２画像ファイルに付加されている識別情報を抽出する。これにより、Ｋの版の第２画像ファイルを取得したことが分かる。統合部１５０Ａは、この抽出した情報を基に、Ｋについては版があることを示す「１」を対応づけ、Ｃ，Ｍ及びＹについては版が無いことを示す「０」を対応付けた「ＣＭＹＫ＝０００１」という版情報を生成する（ステップＳＥ３）。統合部１５０Ａは、版情報を生成すると、生成した版情報および取得した版の第２画像ファイルを統合して「outputfolder1」へ記憶させる（ステップＳＥ４）。
【００９１】
一方、タイムアウト時の動作が「版がそろっていないページを破棄」に設定されている場合（ステップＳＥ６でＮＯ）、統合部１５０Ａは、ファイル名が「Test_02_K.tif」である第２画像ファイルを「inputfolder1」から消去する（ステップＳＥ８）。ファイル名が「Test_02_K.tif」である第２画像ファイルは「inputfolder1」から消去されるため、この第２画像ファイルが表す画像については画像形成装置２０で形成されないこととなる。
【００９２】
このように本実施形態においても、ページ毎に版が異なっていても、ページ毎にそのページを構成する版の第２画像ファイルと版情報とが統合されて選択部１５１へ供給される。
【００９３】
なお、上述した第２実施形態から第４実施形態においては、出力フォルダ部１４２が設けられているが、出力フォルダ部１４２を設けず、統合部１５０Ａは、版情報と第２画像ファイルを直接選択部１５１へ供給してもよい。
【００９４】
また、第２実施形態から第４実施形態においては、統合部１５０Ａは、ＣＭＹＫの版を取得する構成となっているが、ＣＭＹＫ以外の特色の版を取得するようにしてもよい。
図１６は、一のページが特色の版を含む場合に対応した設定画面の一例である。この画面において、特色の項目の行にあるチェックボックスをチェックすると、統合部１５０Ａは、特色の版の第２画像ファイルを取得する。
【００９５】
また、特色の項目の行においては、特色の版の第２画像ファイルを特定するための文字列を設定するテキストボックスＴＢ１１とテキストボックスＴＢ１２が設けられている。図１６の画面において「ファイル名の先頭」の左にあるラジオボックスが選択され、特色の項目の行にあるチェックボックスがチェックされていると、統合部１５０Ａは、テキストボックスＴＢ１１に表示されている文字をファイル名の先頭に有する第２画像ファイルを特色の第２画像ファイルとして取得する。また、統合部１５０Ａは、版情報に特色のビットを追加し、このビットを１にする。
一方、図１６の画面において「ファイル名の先頭」の左にあるラジオボックスが選択され、特色の項目の行にあるチェックボックスがチェックされていると、統合部１５０Ａは、テキストボックスＴＢ１１に表示されている文字をファイル名の先頭に有する第２画像ファイルを特色の第２画像ファイルとして取得する。
この構成によれば、ＣＭＹＫの版だけでなく他の版についても第２画像ファイルを取得し、画像形成装置２０において特色の版の画像が印刷される。
【符号の説明】
【００９６】
１０…画像処理装置、２０…画像形成装置、１０１…バス、１０２…ＣＰＵ、１０３…ＲＯＭ、１０４…ＲＡＭ、１０５…記憶部、１０６…操作部、１０７…表示部、１０８…ファイル取得部、１０９…ファイル出力部、１４０…ホットフォルダ部、１４１…入力フォルダ部、１４２…出力フォルダ部、１５０，１５１Ａ…統合部、１５１…選択部、１５２…第１記憶部、１５２Ａ…第１記憶領域、１５２Ｂ…第２記憶領域、１５３…ＲＩＰ部、１５４…ジョブファイル生成部、１５５…第２記憶部、１５６…ジョブファイル出力部、２０１…バス、２０２…ＣＰＵ、 ２０３…ＲＯＭ、２０４…ＲＡＭ、２０５…記憶部、２０６…操作部、２０７…表示部、２０８…画像形成部、２１０…インターフェース部、２５０…ジョブファイル取得部、２５１…抽出部、２５２…画像処理部
【図１】
0005909905.tif 000002
【図２】
0005909905.tif 000003
【図３】
0005909905.tif 000004
【図４】
0005909905.tif 000005
【図５】
0005909905.tif 000006
【図６】
0005909905.tif 000007
【図７】
0005909905.tif 000008
【図８】
0005909905.tif 000009
【図９】
0005909905.tif 000010
【図１０】
0005909905.tif 000011
【図１１】
0005909905.tif 000012
【図１２】
0005909905.tif 000013
【図１３】
0005909905.tif 000014
【図１４】
0005909905.tif 000015
【図１５】
0005909905.tif 000016
【図１６】
0005909905.tif 000017